(57)【要約】【課題】集塵効率を低下させることなく断面形状が小さな通風路においても容易に設置可能なフィルタ構造を提供する。【解決手段】送風路に設置した際に空気流れ方向に沿うようにして山部１ａと谷部１ｂとが交互に連続するようにプリーツ加工したフィルタ１に、各谷部１ｂの空気流入側の端部に該谷部１ｂを折り曲げ中心にして内側に折り曲げて形成した第１集塵面１ｆを設けると共に、各山部１ａの空気流出側の端部に該山部１ａを折り曲げ中心にして内側に折り曲げて形成した第２集塵面１ｊを設けた。【選択図】図１
2010148996.tif 000002
【特許請求の範囲】
【請求項１】
送風路に設置した際に空気流れ方向に沿うようにして山部と谷部とが交互に連続するようにプリーツ加工したフィルタに、前記各谷部の一方の端部に該谷部を折り曲げ中心にして内側に折り曲げて形成した第１集塵面を設けると共に、前記各山部の他方側の端部に該山部を折り曲げ中心にして内側に折り曲げて形成した第２集塵面を設けたことを特徴とするフィルタ構造。
【請求項２】
送風路に設置した際に前記第１集塵面は前記フィルタの空気流入側に面し、前記第２集塵面は前記フィルタの空気流出側に面していることを特徴とする請求項１に記載のフィルタ構造。
【発明の詳細な説明】
【技術分野】
【０００１】
本発明は、例えば車両用空気清浄装置などの通風路に設置されるフィルタの構造に関する。
【背景技術】
【０００２】
車両用空気清浄装置や車両用空調装置などでは、送風ファンで吸込んだ空気中の塵埃や花粉等を除去するフィルタが送風路に設置されている（例えば、特許文献１参照）。前記特許文献１のようなフィルタ構造では、蛇腹状にプリーツ加工されているフィルタ部材の表面（蛇腹状にプリーツ加工されている面）側を空気流れ方向に対して直交するようにして通風路に設置し、通風路に吸込まれた空気がフィルタを通過する際に空気中の塵埃や花粉等を捕捉するものである。
【特許文献１】実開平５−９３９２９号公報
【発明の開示】
【発明が解決しようとする課題】
【０００３】
ところで、近年、車両用空気清浄装置や車両用空調装置の小型（コンパクト）化が求められているが、特許文献１のようなフィルタ構造では、フィルタのプリーツ加工されている面を空気流れ方向に対して直交するようにして通風路に設置する構成によって、通風路の断面形状を小さくすることができず、車両用空気清浄装置や車両用空調装置の小型（コンパクト）化が難しかった。このため、集塵効率を低下させることなく通風路の断面形状を小さくして設置することができるようなフィルタ構造が望まれている。
【０００４】
そこで、本発明は、集塵効率を低下させることなく断面形状が小さな通風路においても容易に設置可能なフィルタ構造を提供することを目的とする。
【課題を解決するための手段】
【０００５】
前記目的を達成するために請求項１に係る本発明のフィルタ構造は、送風路に設置した際に空気流れ方向に沿うようにして山部と谷部とが交互に連続するようにプリーツ加工したフィルタに、前記各谷部の一方の端部に該谷部を折り曲げ中心にして内側に折り曲げて形成した第１集塵面を設けると共に、前記各山部の他方側の端部に該山部を折り曲げ中心にして内側に折り曲げて形成した第２集塵面を設けたことを特徴としている。
【０００６】
請求項２に係る本発明のフィルタ構造は、送風路に設置した際に前記第１集塵面は前記フィルタの空気流入側に面し、前記第２集塵面は前記フィルタの空気流出側に面していることを特徴としている。
【発明の効果】
【０００７】
本発明に係るフィルタ構造によれば、フィルタの山部と谷部の長手方向に沿って空気を流すようにして、フィルタの空気流入側では第１集塵面で空気中の異物（塵埃や花粉等）を捕獲し、フィルタの空気流出側では第２集塵面で空気中の異物（塵埃や花粉等）を捕獲することができる。よって、プリーツ加工されている面を空気流れ方向と直交方向に設置する従来のフィルタ構造に対して、フィルタの空気流れ方向と直交する集塵面（空気通過面）の形状を、集塵効率を低下させることなく大幅に小さくすることができる。
【発明を実施するための最良の形態】
【０００８】
以下、本発明を図示の実施形態に基づいて説明する。図１は、本発明の実施形態に係るフィルタ構造を示す斜視図、図２は、発明の実施形態に係るフィルタ構造の平面図、図３（ａ）は、発明の実施形態に係るフィルタ構造の空気流入側を示す図、図３（ｂ）は、発明の実施形態に係るフィルタ構造の空気流出側を示す図である。図１において、矢印Ａは空気清浄装置などの送風路に設置したときの空気流れ方向である。なお、本実施形態のフィルタは、車両用空気清浄装置などの送風路に設置され、送風路を流れる空気中の異物（塵埃や花粉等）を捕捉するための集塵フィルタである。
【０００９】
図１〜図３に示すように、本実施形態のフィルタ１は、長手方向（空気流れ方向Ａ）に沿って山部（凸部）１ａと谷部（凹部）１ｂとが交互に連続するようにしてプリーツ加工されており、各谷部（凹部）１ｂの前部側（図１の左前方側）には、３本の折り線１ｃ，１ｄ，１ｅに沿って中央の折り線１ｄを折り曲げ中心にして上側（内側）に折り曲げるようにしてそれぞれ形成された前部側集塵面１ｆを有している。また、各山部（凸部）１ａの後部側（図１の右後方側）には、３本の折り線１ｇ，１ｈ，１ｉに沿って中央の折り線１ｈを折り曲げ中心にして下側（内側）に折り曲げるようにしてそれぞれ形成された後部側集塵面１ｊを有している。フィルタ１の材質としては、例えば不織布等を用いることができる。
【００１０】
即ち、このフィルタ１は、山部１ａと谷部１ｂの長手方向に沿って空気を流し、谷部１ｂの前部側に折り曲げて形成した前部側集塵面１ｆと、山部１ａの後部側に折り曲げて形成した後部側集塵面１ｊに空気を通過させて、通過する空気中から塵埃や花粉等を捕捉する構成である。
【００１１】
このフィルタ１を展開した状態では、図４に示すように、所定間隔で山部１ａとなる山折り線（一点鎖線部分）１ａ’と谷部１ｂとなる谷折り線（二点鎖線部分）１ｂ’が交互に形成されている。更に、谷折り線１ｂ’の一方側（図４の左側）には、前記３本の折り線１ｃ，１ｄ，１ｅが形成され、山折り線１ａ’の他方側（図４の右側）には、前記３本の折り線１ｇ，１ｈ，１ｉが形成されている。
【００１２】
図４に示した展開状態のフィルタ部材１’に対して、山折り線１ａ’を山折りすると共に谷折り線１ｂ’を谷折りした後に、３本の折り線１ｃ，１ｄ，１ｅに沿って中央の折り線１ｄを中心にして上側（図４の紙面に対して手前側）に折り曲げ、更に、３本の折り線１ｇ，１ｈ，１ｉに沿って中央の折り線１ｈを折り曲げ中心にして下側（図４の紙面に対して奥側）に折り曲げるようして成形することにより、図１〜図３に示したように、一方側の各谷部１ｂに前部側集塵面１ｆを有し、他方側の各山部１ａに後部側集塵面１ｊを有するフィルタ１が得られる。
【００１３】
前記フィルタ１は、図５に示すように、前部（空気流入側）２ａと後部（空気流出側）２ｂが連通するように開口した矩形状の樹脂製のフィルタケース２内に挿入されることにより、フィルタ１の外側両側面部１ｍ，１ｎがフィルタケース２内の両側内壁面近傍に沿って設けた係止片２ｃ，２ｄと内壁面との間に挟み込まれるようにして保持される。なお、図５において、矢印Ａは空気清浄装置の通風路に設置したときの空気流れ方向である。
【００１４】
このように、本実施形態のフィルタ構造によれば、山部１ａと谷部１ｂとが交互に連続するようにしてプリーツ加工したフィルタ１の、谷部１ｂの前部側に折り曲げて形成した前部側集塵面１ｆを設けると共に、山部１ａの後部側に折り曲げて形成した後部側集塵面１ｊを設けている。そして、フィルタ１の山部１ａと谷部１ｂの長手方向に沿って空気を流すようにして、フィルタの空気流入側では前部側集塵面１ｆで空気中の異物を捕獲し、フィルタの空気流出側では後部側集塵面１ｊで空気中の異物を捕獲する構成により、プリーツ加工されている面を空気流れ方向と直交方向に設置する従来のフィルタ構造に対して、フィルタ１の空気流れ方向と直交する集塵面（空気通過面）の形状を、集塵効率を低下させることなく大幅に小さくすることができる。
【００１５】
よって、このフィルタ１を車両用空気清浄装置や車両用空調装置などの送風路（ダクト）に設置する場合に、送風路の空気流れ方向と直交する空気通過面の断面形状を小さくしてフィルタ１を設置することが可能となり、装置全体の小型（コンパクト）化を図ることができる。
【図面の簡単な説明】
【００１６】
【図１】本発明の実施形態に係るフィルタ構造を示す斜視図。
【図２】本発明の実施形態に係るフィルタ構造の平面図．
【図３】（ａ）は、発明の実施形態に係るフィルタ構造の空気流入側を示す図、（ｂ）は、発明の実施形態に係るフィルタ構造の空気流出側を示す図である。
【図４】本実施形態のフィルタを展開した状態を示す図。
【図５】本実施形態のフィルタをフィルタケース内に挿入した状態を示す図。
【符号の説明】
【００１７】
１        フィルタ
１ａ      山部
１ｂ      谷部
１ｆ      前部側集塵面
１ｊ      後部側集塵面
２        フィルタケース
４        送風路
５        空気吸入口
６        送風ファン
７        空気吹出口
【図１】
2010148996.tif 000003
【図２】
2010148996.tif 000004
【図３】
2010148996.tif 000005
【図４】
2010148996.tif 000006
【図５】
2010148996.tif 000007